(57)【特許請求の範囲】
【請求項１】
四角形状の容器本体（２００）の上部に結合され、前記容器本体（２００）の内部を密閉させる密閉容器のカバー（１００）であって、
中央に結合穴（１１１）が形成され、前記結合穴（１１１）の内側面に段差部（１１２）が形成された上部プレート（１１０）；
前記結合穴（１１１）に挿入されながら、上部の外側面に前記段差部（１１２）に安着された羽部（１２１）が形成され、下部の外側面にねじ山（１２２）が形成された回転取っ手部（１２０）；
前記上部プレート（１１０）と結合されながら、中央に前記回転取っ手部（１２０）とボルト結合されるタップ結合溝（１３１）が形成され、外側面に挿入溝（１３２）が形成された下部プレート（１３０）；
前記挿入溝（１３２）に挿入されながら、その縁の面が外側方向にテーパーされて形成された弾性材質のパッキング部（１４０）；で構成され、
前記下部プレート（１３０）が前記容器本体（２００）の内側安着突起（２１０）に安着された状態で前記回転取っ手部（１２０）を回転させると、前記上部プレート（１１０）が下降するようになり前記上部プレート（１１０）の外側面が前記パッキング部（１４０）の内側面を加圧して前記パッキング部（１４０）の外側面が前記容器本体（１００）の内側面に接触される構成において、
前記パッキング部（１４０）の外側の周りには前記上部プレート（１１０）の下降によって前記パッキング部（１４０）が外側方向に広がる場合、前記容器本体（２００）の内側面に密着されるように前記容器本体（２００）の内側面と同一の角度で形成された密着面部（１４１）が構成されると共に、
前記上部プレート（１１０）の外側の周りには前記パッキング部（１４０）の内側面と同一の角度で形成された傾斜面部（１１３）が構成される
ことを特徴とする密閉容器のカバー（１）。
【請求項２】
請求項１において、
前記上部プレート（１１０）の下部の縁側には前記回転取っ手部（１２０）の回転によって前記上部プレート（１１０）が下降する過程で前記パッキング部（１４０）の縁側に加圧力が伝達されるように斜線方向に配置された補強リブ（１１４）が其々に形成されたことを特徴とする請求項１に記載の密閉容器のカバー（１）。
【請求項３】
請求項２において、
前記上部プレート（１１０）の下部の周りには前記回転取っ手部（１２０）の回転によって前記上部プレート（１１０）が下降する過程で前記上部プレート（１１０）が前記回転取っ手部（１２０）と同一の方向に回転することが防止されるように外郭リブ（１１５）が形成されたことを特徴とする請求項２に記載の密閉容器のカバー（１）。
【発明の詳細な説明】
【技術分野】
【０００１】
本発明は密閉容器のカバーに関するものであり、四角形状の容器本体（２００）の上部に結合されて操作可否によって前記容器本体（２００）の内部を密閉させる密閉容器のカバー（１００）であって、中央に結合穴（１１１）が形成され、前記結合穴（１１１）の内側面に段差部（１１２）が形成された上部プレート（１１０）；と、前記結合穴（１１１）に挿入されながら、上部の外側面に前記段差部（１１２）に安着される羽部（１２１）が形成され、下部の外側面にねじ山（１２２）が形成された回転取っ手部（１２０）；と、前記上部プレート（１１０）と結合されながら、中央に前記回転取っ手部（１２０）とボルト結合されるタップ結合溝（１３１）が形成され、外側面に挿入溝（１３２）が形成された下部プレート（１３０）；と、前記挿入溝（１３２）に挿入されながら、その縁の面が外側方向にテーパーにされて形成される弾性材質のパッキング部（１４０）；とで構成されて、前記下部プレート（１３０）が前記容器本体（２００）の内側安着突起（２１０）に安着された状態で前記回転取っ手部（１２０）を回転させると、前記上部プレート（１１０）が下降するようになって前記上部プレート（１１０）の外側面が前記パッキング部（１４０）の内側面を加圧して前記パッキング部（１４０）の外側面が前記容器本体（１００）の内側面に接触されることを特徴にする密閉容器のカバーに関するものである。
【背景技術】
【０００２】
一般的に、長い間に食べ物の状態を維持して衛生的な保管のために食品を密閉容器に込めて必要の時に程良い量だけをよそって使用する。
【０００３】
このような、密閉容器は密閉容器の内部に空気が流入または流出されることを遮断する構造で成されていて、このような機能を行うために通常的に容器本体とカバーとの結合部分に弾性材質のパッキングを具備する。
【０００４】
前記のような構造の密閉容器は様々な実施形態で公開されていて、このような密閉容器の中で下記の特許文献１の“密閉容器（大韓民国登録実用新案公報第２０-０４７２０８９号）”が掲示されている 。
【０００５】
前記特許文献１の“密閉容器”は内部に内容物が収容され、上側の内周面がすべっこい面に成された円筒形の容器（２００）と；前記容器（２００）の入り口を開閉する蓋（１００）とで成された密閉容器であって、前記蓋（１００）は中央部に中心ホール（１１３）が穿孔され、前記中心ホール（１１３）の内周面にはねじ山を持つ密着ナット部（１１４）が具備された蓋本体（１１０）と； 前記密着ナット部（１１４）にねじ結合されて上・下昇降される密着ボルト部（１２３）が形成され、前記密着ボルト部（１２３）の下側にはコーン形象の周面傾斜部（１２４）が具備され、上部には取っ手ホイール（１２１）が形成された密着取っ手（１２０）と；前記蓋本体（１１０）の下側部に設置され、多数個に区分されながら組合されて円形を成して、前記周面傾斜部（１２４）の上・下移動による加圧力によって其々に放射状に直線移動される多数個の密着作動部材（１３０）と；前記蓋本体（１１０）の下部に固定され、上面には多数個の密着作動部材（１３０）を其々に案内して直線移動するように放射状に形成されたガイドリブ（１５１）が具備されたガイド板（１５０）と；前記密着作動部材（１３０）の組合された外周面に結合されて密閉の時に前記容器（２００）の内周面に密着され、密閉の解除の時に前記内周面から離隔されるように内側方向に弾性力を発生させる円形の外郭パッキング（１４０）；で構成されて；前記密着作動部材（１３０）は前記周面傾斜部（１２４）に対応するように段部が傾斜された傾斜面（１３２）が具備された押し台（１３１）と、前記押し台（１３１）の外側部に弧形象のパッキング密着部（１３３）が具備されたことが特徴であって、密閉機能を高めることで保管された食べ物や薬品などの内容物の変質を最小化する長所があった。
【０００６】
しかし、前記特許文献１の“密閉容器”は発明を成す構成要素が様々であるので生産工程の増加により生産、製造や加工の効率性が低下し、そのため原価費用が上昇して消費者に提供する販売費用が増加する問題点があった。
【先行技術文献】
【特許文献】
【０００７】
【特許文献１】大韓民国登録実用新案公報第２０-０４７２０８９号
【発明の概要】
【発明が解決しようとする課題】
【０００８】
本発明は前述の問題点を解決するために案出されたことで、本発明の目的は回転取っ手部の回転の可否によって上部プレートが下降して下部プレートの周りに具備されたパッキング部を外側方向に押すことで、簡単な動作を通じて容器本体の内部を易しく密閉させ、最小化された構成を通じて生産工程が減少して生産と加工の効率性が増加する共に原価費用と販売費用が著しく減少される密閉容器のカバーを提供するのである。
【課題を解決するための手段】
【０００９】
前記のような問題点を解決するために、本発明による密閉容器カバーは、四角形状の容器本体（２００）の上部に結合され操作の可否によって前記容器本体（２００）の内部を密閉させる密閉容器のカバー（１００）であって、中央に結合穴（１１１）が形成され、前記結合穴（１１１）の内側面に段差部（１１２）が形成された上部プレート（１１０）；と、前記結合穴（１１１）に挿入されながら、上部の外側面に前記段差部（１１２）に安着された羽部（１２１）が形成され、下部の外側面にねじ山（１２２）が形成された回転取っ手部（１２０）；と、前記上部プレート（１１０）と結合されながら、中央に前記回転取っ手部（１２０）とボルト結合されるタップ結合溝（１３１）が形成され、外側面に挿入溝（１３２）が形成された下部プレート（１３０）；と、前記挿入溝（１３２）に挿入されながら、その縁の面が外側方向にテーパーにされて形成された弾性材質のパッキング部（１４０）；で構成され、前記下部プレート（１３０）が前記容器本体（２００）の内側安着突起（２１０）に安着された状態で前記回転取っ手部（１２０）を回転すると、前記上部プレート（１１０）が下降するようになって前記上部プレート（１１０）の外側面が前記パッキング部（１４０）の内側面を加圧して前記パッキング部（１４０）の外側面が前記容器本体（１００）の内側面に接触されることを特徴とする。
【００１０】
また、前記パッキング部（１４０）の外側の周りには前記上部プレート（１１０）の下降によって前記パッキング部（１４０）が外側方向に広がる場合、前記容器本体（２００）の内側面に密着されるように前記容器本体（２００）の内側面と同一な角度に形成された密着面部（１４１）が構成されることを特徴とする。
【００１１】
また、前記上部プレート（１１０）の外側の周りには前記パッキング部（１４０）の内側面と同一な角度で形成された傾斜面部（１１３）が構成されることを特徴とする。
【００１２】
また、前記上部プレート（１１０）の下部の縁側には前記回転取っ手部（１２０）の回転によって前記上部プレート（１１０）が下降する過程で前記パッキング部（１４０）の 縁側に 加圧力が伝達されるように斜線方向に配置された補強リブ（１１４）が其々に形成されることを特徴とする。
【００１３】
また、前記上部プレート（１１０）の下部の周りには前記回転取っ手部（１２０）の回転によって前記上部プレート（１１０）が下降する過程で前記上部プレート（１１０）が前記回転取っ手部（１２０）と同一な方向で回転されることが防止されるように外郭リブ（１１５）が形成されることを特徴とする。
【発明の効果】
【００１４】
以上、前述ののように本発明によれば、回転取っ手部の回転の可否によって上部プレートが下降して下部プレートの周りに具備されたパッキング部を外側方向に押すことで、簡単な動作を通じて容器本体の内部を易しく密閉させ、最小化された構成を通じて生産工程が減少して生産と加工との効率性が増加する共に原価費用と販売費用とが著しく減少する長所がある。
【発明を実施するための形態】
【００１５】
以下では添付された図面を参照にして、本発明の一実施形態による密閉容器のカバー（１００）を詳しく説明する。まず、図面たちの中で、同一の構成要素または部品たちは可能な限り同一の参照符号で示されていることに留意するべきである。本発明を説明することにおいて、 関連された共知の機能または構成に関する具体的な説明は本発明の要旨を曖昧にさせない為に省略する。
【００１６】
図１または図２を参照すると、本発明の一実施形態による密閉容器カバー（１００）は大まかに上部プレート（１１０）、回転取っ手部（１２０）、下部プレート（１３０）及びパッキング部（１４０）で構成される。
【００１７】
まず、上部プレート（１１０）に対して説明する。前記上部プレート（１１０）は図２、図３または図４に示されているように、四角形状に成されて後述の回転取っ手部（１２０）の回転の可否によって昇、下降され後述の下部プレート（１２０）の外側面に具備される後述のパッキング部（１４０）を外側方向の押すこと或は元の状態への戻りを可能にする構成要素であって、結合穴（１１１）、段差部（１１２）、傾斜面部（１１３）、補強リブ（１１４）及び外郭リブ（１１５）で構成される。
【００１８】
前記結合穴（１１１）は前記上部プレート（１１０）の中央側に通空形成された構成要素であって、前記回転取っ手部（１２０）が挿入されて前記上部プレート（１１０）と結合された状態で前記回転取っ手部（１２０）が回転可能にする役割をする。
【００１９】
前記段差部（１１２）は前記結合穴（１１０）の内側周りに内側方向へ突出形成された構成要素であって、前記結合穴（１１１）に挿入された回転取っ手部（１２０）の後述の羽部（１２１）が掛れて前記回転取っ手部（１２０）が前記結合穴（１１１）から離脱することを防止する。
【００２０】
前記傾斜面部（１１３）は前記上部プレート（１１０）の外側の周りに所定の角度で傾斜された構成要素であって、前記傾斜面部（１１３）は後述のパッキング部（１４０）の内側面と同一の角度で形成されたことで、前記回転取っ手部（１２０）の回転により前記上部プレート（１１０）が下降する場合、前記上部プレート（１１０）が前記パッキング部（１４０）を加圧して前記パッキング部（１４０）の弾性変形を誘導することを可能にする。
【００２１】
前記補強リブ（１１４）は図２または図５に示されているように、前記上部プレート（１１０）の下部の縁側の四つのところに水平バー（ｂaｒ）の形象で其々に形成された構成要素であって、前記補強リブ（１１４）は前記回転取っ手部（１２０）の回転によって前記上部プレート（１１０）が下降する場合、上部プレート（１１０）と前記結合穴（１１１）の間の水平距離（D）より距離が遠い上部プレート（１１０）と前記結合穴（１１１）の間の対角線距離（L）、即ち、前記パッキング部（１４０）の縁側に加圧力が最大限に伝達されるように前記上部プレート（１１０）の対角線部分が捻じれるとか動くことを防止させる。
【００２２】
これによって、前記上部プレート（１１０）の下降が完了すると、前記パッキング部（１４０）の全体の外郭の周りが容器本体（２００）の内側面に密着されて密閉力が最大化されることを可能にする。
【００２３】
前記外郭リブ（１１５）は前記上部プレート（１１０）の下部の周りに垂直バンドの形象で形成された構成要素であって、前記外郭リブ（１１５）は前記回転取っ手部（１２０）の回転によって前記上部プレート（１１０）が下降する過程で、前記上部プレート（１１０）が左、右方向に移動されることと前記回転取っ手部（１２０）と同一の方向に回転されることが防止されることで、前記上部プレート（１１０）を完全に垂直方向に移動させて前記パッキング部（１４０）の全体の内側面に加圧力が普く伝達されることを可能にする。
【００２４】
次に、回転取っ手部（１２０）に対して説明する。前記回転取っ手部（１２０）は図２または図３に示されているように、前記結合穴（１１１）に挿入されて回転の可否によって前記上部プレート（１１０）を上昇または下降させる構成要素であって、前記回転取っ手部（１２０）の上部の外側面には前記回転取っ手部（１２０）が前記結合穴（１１０）に挿入された状態で前記結合穴（１１０） の上に前記回転取っ手部（１２０）が回転可能に安着される同時に外部に離脱されることを防止するように羽部（１２１）が形成される。
【００２５】
また、前記回転取っ手部（１２０）の下部の外側面にはねじ山（１２２）が形成されたことで、後述の下部プレート（１３０）のタップ結合溝（１３１）とボルト結合され前記回転取っ手部（１２０）の回転によって前記上部プレート（１１０）が上昇または下降することを可能にする。
【００２６】
次に、下部プレート（１３０）に対して説明する。前記下部プレート（１３０）は図２または図３に示されているように、前記上部プレート（１１０）の下部に結合され、前記容器本体（２００）の内側安着突起（２１０）に安着される構成要素であって、タップ結合溝（１３１）、挿入溝（１３２）とで構成される。
【００２７】
前記タップ結合溝（１３１）は前記下部プレート（１３０）の中央側に形成された構成要素であって、前記タップ結合溝（１３１）の内側面には前記ねじ山（１２２）とボルト結合が成されるようにねじタップ（１３２）が形成される。
【００２８】
前記挿入溝（１３２）は前記下部プレート（１３０）の外側面に陥没形成され前記パッキング部（１４０）の水平面（１４２）が挿入されて結合されることを可能にする。
【００２９】
一方、前記下部プレート（１３０）の内側には其々の前記補強リブ（１１４）に対応して其々の前記補強リブ（１１４）が挿入される補強リブ安着溝（図示せず）がもっと形成されることで、前記上部プレート（１１０）と前記下部プレート（１３０）の結合性を増加させ、前記回転取っ手部（１２０）の回転によって前記上部プレート（１１０）が捻じれることと動くことを更に防止し、前記上部プレート（１１０）の垂直移動をガイドする。
【００３０】
一方、前記下部プレート（１３０）の外側面には前記内側安着突起（２１０）に支持されるように支持部（１３４）が形成されることが好ましい。
【００３１】
次に、パッキング部（１４０）に対して説明する。前記パッキング部（１４０）は図２、図３または図４に示されているように、弾性材質で成されて、前記下部プレート（１３０）の外側の周りに結合され前記上部プレート（１１０）の加圧の可否によって弾性変形されて前記容器本体（２００）の内側面に接触または脱去される構成要素であって、前記挿入溝（１３２）に挿入される水平面（１４２）が形成され、前記パッキング部（１４０）の外側の縁の面は前記水平面（１４２）から延長形成されながら、外側方向にテーパーにされて形成される。
【００３２】
一方、前記パッキング部（１４０）の外側の縁の面には前記容器本体（２００）の内側面と同一の角度の密着面部（１４１）が形成されたことで、前記上部プレート（１１０）の下降によって前記パッキング部（１４０）が外側方向に広がる場合、前記容器本体（２００）の内側面に最大限に密着されて密閉力を増加させることを可能にする。
【００３３】
図面と明細書に最適の実施形態が開示されている。ここで特定の用語たちが使用されているが、これはただ本発明を説明するための目的で使用されたことであって意味の限定や特許請求範囲に記載された本発明の範囲を制限するために使用されたことではない。故に本技術分野の通常の知識を持っている者であればここから様々な変形及び均等な他の実施形態が可能であることが理解できるはずである。従って本発明の真の技術的の保護範囲は添付された特許請求範囲の技術的の思想によって定められるべきである。
【図面の簡単な説明】
【００３４】
【図１】本発明の好ましい実施形態による密閉容器と密閉容器のカバーとが結合された様子の斜視図、
【図２】本発明の好ましい実施形態による密閉容器と密閉容器のカバーとが分解された様子の分解斜視図、
【図３】本発明の好ましい実施形態による密閉容器と密閉容器のカバーとの断面の様子の断面図、
【図４】本発明の好ましい実施形態による密閉容器のカバーの構成の中で回転取っ手部の回転によって上部プレートが下降される様子を示す断面図、
【図５】本発明の好ましい実施形態による密閉容器と密閉容器のカバーとの平面様子そ示す平面図である。
【符号の説明】
【００３５】
１００：密閉容器のカバー
１１０：上部プレート
１１１：結合穴
１１２：段差部
１１３：傾斜面部
１１４：補強リブ
１１５：外郭リブ
１２０：回転取っ手部
１２１：羽部
１２２：ねじ山
１３０：下部プレート
１３１：タップ結合溝
１３２：挿入溝
１３３：ねじタップ
１３４：支持部
１４０：パッキング部
１４１：密着面部
１４２：水平面
２００：容器本体
２１０：内側安着突起
Ｄ：上部プレート（１１０）と前記結合穴（１１１）の間の水平距離
Ｌ：上部プレート（１１０）と前記結合穴（１１１）の間の対角線距離
【図１】
0006568602.tif 000002
【図２】
0006568602.tif 000003
【図３】
0006568602.tif 000004
【図４】
0006568602.tif 000005
【図５】
0006568602.tif 000006